【手続補正書】
【提出日】平成17年6月6日(2005.6.6)
【手続補正１】
【補正対象書類名】明細書
【補正対象項目名】請求項１
【補正方法】変更
【補正の内容】
【請求項１】
グルーブを有する第１の光ディスクおよびグルーブを有しない第２の光ディスクを含む複数種類の光ディスクのうちから任意に選択された光ディスクが装填され得る光ディスク装置であって、
装填された光ディスクの記録面にレーザ光を照射する光学系と、
前記光ディスクからの反射光を受け、前記光ディスクの内周側から反射された光の少なくとも一部の光量に応じた第１出力信号、および、前記光ディスクの外周側から反射された光の少なくとも一部の光量に応じた第２出力信号を生成する光検出部と、
装填されている光ディスクがグルーブを有しているか否かを前記第１出力信号の高光量側エンベロープ信号および／または第２出力信号の高光量側エンベロープ信号に基づいて判断するディスク判別部と、
を備えている光ディスク装置。
【手続補正２】
【補正対象書類名】明細書
【補正対象項目名】請求項４
【補正方法】変更
【補正の内容】
【請求項４】
前記ディスク判別部は、
前記第１出力信号または前記第２ 出力信号を受け取り、受け取った信号について高光量側のピーク検波を行なうことにより受光量の最大値を検出し、前記高光量側エンベロープ信号を生成するピーク検波回路と、
前記高光量側エンベロープ信号の交流振幅を検出する振幅検出部と
を有する、請求項１ に記載の光ディスク装置。
【手続補正３】
【補正対象書類名】明細書
【補正対象項目名】請求項５
【補正方法】変更
【補正の内容】
【請求項５】
前記ディスク判別部は、
前記第１出力信号および前記第２出力信号を受け取り、受け取った出力信号の各々について高光量側のピーク検波を行なうことにより受光量の最大値を検出し、前記第１出力信号の高光量側エンベロープ信号および前記第２出力信号の高光量側エンベロープ信号を生成するピーク検波回路と、
前記第１出力信号の高光量側エンベロープ信号および前記第２出力信号の高光量側エンベロープ信号の差を検出する差分検出部と、
前記差分検出部の出力する信号の交流振幅を検出する振幅検出部と、
を有する、請求項１に記載の光ディスク装置。
【手続補正４】
【補正対象書類名】明細書
【補正対象項目名】請求項１４
【補正方法】変更
【補正の内容】
【請求項１４】
前記ディスク判別部は、回転する前記光ディスクの偏心によって前記レーザ光の照射位置が前記記録トラックの中心からオフセットしている際の前記高光量側エンベロープ信号に基づいて装填されている光ディスクがグルーブを有しているか否かを判断する請求項１ に記載の光ディスク装置。
【手続補正５】
【補正対象書類名】明細書
【補正対象項目名】請求項１５
【補正方法】変更
【補正の内容】
【請求項１５】
前記光ディスク上における前記レーザ光の照射位置を前記光ディスクの半径方向に移動させる照射位置制御部を有し、前記ディスク判別部は、前記照射位置制御部によって前記レーザ光の照射位置が前記記録トラックの中心からオフセットしている際の前記高光量側エンベロープ信号に基づいて装填されている光ディスクがグルーブを有しているか否かを判断する請求項１に記載の光ディスク装置。
【手続補正６】
【補正対象書類名】明細書
【補正対象項目名】請求項１９
【補正方法】変更
【補正の内容】
【請求項１９】
ディスクの記録面形状が異なる複数種類の光ディスクのうちから任意に選択された光ディスクが装填され得る光ディスク装置であって、
装填された光ディスクの記録面にレーザ光を照射する光学系と、
前記光ディスクからの反射光を受け、前記光ディスクの内周側から反射された光の少なくとも一部の光量に応じた第１出力信号、および、前記光ディスクの外周側から反射された光の少なくとも一部の光量に応じた第２出力信号を生成する光検出部と、
前記第１出力信号の高光量側エンベロープ信号および／または第２出力信号の高光量側エンベロープ信号に基づいて、装填されている光ディスクの種類を判断するディスク判別部と、
を備えている光ディスク装置。
【手続補正７】
【補正対象書類名】明細書
【補正対象項目名】請求項２０
【補正方法】変更
【補正の内容】
【請求項２０】
グルーブを有する記録可能ディスクおよびグルーブを有しない再生専用ディスクを含む複数種類の光ディスクのうちから任意に選択された光ディスクが装填され得る光ディスク装置の駆動方法であって、
装填された光ディスクの記録面にレーザ光を照射するステップと、
前記光ディスクからの反射光を受け、前記光ディスクの内周側から反射された光の少なくとも一部の光量に応じた第１出力信号、および、前記光ディスクの外周側から反射された光の少なくとも一部の光量に応じた第２出力信号を生成するステップと、
装填されている光ディスクがグルーブを有しているか否かを前記第１出力信号の高光量側エンベロープ信号および／または第２出力信号の高光量側エンベロープ信号に基づいて判断するステップと、
を包含する光ディスク装置の駆動方法。
【手続補正８】
【補正対象書類名】明細書
【補正対象項目名】００２２
【補正方法】変更
【補正の内容】
【００２２】
【課題を解決するための手段】
本発明による光ディスク装置は、グルーブを有する第１の光ディスクおよびグルーブを有しない第２の光ディスクを含む複数種類の光ディスクのうちから任意に選択された光ディスクが装填され得る光ディスク装置であって、装填された光ディスクの記録面にレーザ光を照射する光学系と、前記光ディスクからの反射光を受け、前記光ディスクの内周側から反射された光の少なくとも一部の光量に応じた第１出力信号、および、前記光ディスクの外周側から反射された光の少なくとも一部の光量に応じた第２ 出力信号を生成する光検出部と、装填されている光ディスクがグルーブを有しているか否かを前記第１出力信号の高光量側エンベロープ信号および／または第２出力信号の高光量側エンベロープ信号に基づいて判断するディスク判別部とを備えている。
【手続補正９】
【補正対象書類名】明細書
【補正対象項目名】００２５
【補正方法】変更
【補正の内容】
【００２５】
ある好ましい実施形態において、前記ディスク判別部は、前記第１出力信号または前記第２出力信号を受け取り、受け取った信号について高光量側のピーク検波を行なうことにより受光量の最大値を検出し、前記高光量側エンベロープ信号を生成するピーク検波回路と、前記高光量側エンベロープ信号の交流振幅を検出する振幅検出部とを有する。
【手続補正１０】
【補正対象書類名】明細書
【補正対象項目名】００２６
【補正方法】変更
【補正の内容】
【００２６】
ある好ましい実施形態において、前記ディスク判別部は、前記第１出力信号および前記第２出力信号を受け取り、受け取った出力信号の各々について高光量側のピーク検波を行なうことにより受光量の最大値を検出し、前記第１出力信号の高光量側エンベロープ信号および前記第２出力信号の高光量側エンベロープ信号を生成するピーク検波回路と、前記第１出力信号の高光量側エンベロープ信号および前記第２出力信号の高光量側エンベロープ信号の差を検出する差分検出部と、前記差分検出部の出力する信号の交流振幅を検出する振幅検出部とを有する。
【手続補正１１】
【補正対象書類名】明細書
【補正対象項目名】００３５
【補正方法】変更
【補正の内容】
【００３５】
ある好ましい実施形態において、前記ディスク判別部は、回転する前記光ディスクの偏心によって前記レーザ光の照射位置が前記記録トラックの中心からオフセットしている際の前記高光量側エンベロープ信号に基づいて装填されている光ディスクがグルーブを有しているか否かを判断する。
【手続補正１２】
【補正対象書類名】明細書
【補正対象項目名】００３６
【補正方法】変更
【補正の内容】
【００３６】
ある好ましい実施形態において、前記光ディスク上における前記レーザ光の照射位置を前記光ディスクの半径方向に移動させる照射位置制御部を有し、前記ディスク判別部は、前記照射位置制御部によって前記レーザ光の照射位置が前記記録トラックの中心からオフセットしている際の前記高光量側エンベロープ信号に基づいて装填されている光ディスクがグルーブを有しているか否かを判断する。
【手続補正１３】
【補正対象書類名】明細書
【補正対象項目名】００４０
【補正方法】変更
【補正の内容】
【００４０】
本発明による光ディスク装置は、ディスクの記録面形状が異なる複数種類の光ディスクのうちから任意に選択された光ディスクが装填され得る光ディスク装置であって、装填された光ディスクの記録面にレーザ光を照射する光学系と、前記光ディスクからの反射光を受け、前記光ディスクの内周側から反射された光の少なくとも一部の光量に応じた第１出力信号、および、前記光ディスクの外周側から反射された光の少なくとも一部の光量に応じた第２出力信号を生成する光検出部と、前記第１ 出力信号の高光量側エンベロープ信号および／または第２出力信号の高光量側エンベロープ信号に基づいて、装填されている光ディスクの種類を判断するディスク判別部とを備えている。
【手続補正１４】
【補正対象書類名】明細書
【補正対象項目名】００４１
【補正方法】変更
【補正の内容】
【００４１】
本発明による光ディスク装置の駆動方法は、グルーブを有する記録可能ディスクおよびグルーブを有しない再生専用ディスクを含む複数種類の光ディスクのうちから任意に選択された光ディスクが装填され得る光ディスク装置の駆動方法であって、装填された光ディスクの記録面にレーザ光を照射するステップと、前記光ディスクからの反射光を受け、前記光ディスクの内周側から反射された光の少なくとも一部の光量に応じた第１出力信号、および、前記光ディスクの外周側から反射された光の少なくとも一部の光量に応じた第２ 出力信号を生成するステップと、装填されている光ディスクがグルーブを有しているか否かを前記第１出力信号の高光量側エンベロープ信号および／または第２出力信号の高光量側エンベロープ信号に基づいて判断するステップとを包含する。